(57)【要約】  本発明における解析処理システム１００は、カメラ１１０にて撮影した画像を取得し、当該取得した画像内において予め設定された特徴を有する物体を検出し、当該物体が検出された画像内における位置を基準とした所定範囲を物体領域として設定する物体検出手段１０１と、物体領域の情報に基づいて、新たに取得された画像内に新たに出現した物体が含まれる物体領域を新規物体領域として特定し、当該新規物体領域に対する所定の解析処理を実行する優先度合いを表す優先度を、他の物体領域の優先度よりも高くなるよう設定する新規物体領域特定手段１０２と、を備える。
2014122879.tif 000002
【特許請求の範囲】
【請求項１】
カメラにて撮影した画像を取得し、当該取得した画像内において予め設定された特徴を有する物体を検出し、当該物体が検出された画像内における位置を基準とした所定範囲を物体領域として設定する物体検出手段と、
前記物体領域の情報に基づいて、新たに取得された画像内に新たに出現した物体が含まれる前記物体領域を新規物体領域として特定し、当該新規物体領域に対する所定の解析処理を実行する優先度合いを表す優先度を、他の前記物体領域の優先度よりも高くなるよう設定する新規物体領域特定手段と、
を備えた解析処理システム。
【請求項２】
請求項１に記載の解析処理システムであって、
前記新規物体領域の情報に基づいて、当該新規物体領域の予め設定された基準に基づく品質を判定する品質判定手段と、
前記新規物体領域が含まれる画像に後続する画像内において、当該新規物体領域に出現した物体と同一物体が出現している前記物体領域である新規物体後続領域に対する前記優先度を、前記品質判定手段にて判定した前記新規物体領域の品質に基づいて、他の前記物体領域の優先度よりも高くなるよう設定する優先度設定手段と、
を備えた解析処理システム。
【請求項３】
請求項２に記載の解析処理システムであって、
前記優先度設定手段は、前記品質判定手段にて判定した前記新規物体領域の品質が予め設定された基準を満たさない場合に、前記新規物体後続領域に対する前記優先度を他の前記物体領域の優先度よりも高くなるよう設定する、
解析処理システム。
【請求項４】
請求項３に記載の解析処理システムであって、
前記新規物体領域特定手段は、新たに取得された画像内における前記新規物体後続領域に対する前記優先度を、前記新規物体領域に対して設定した優先度よりも低くなるよう設定し、
前記優先度設定手段は、前記品質判定手段にて判定した前記新規物体領域の品質が予め設定された基準を満たさない場合に、前記新規物体後続領域に対する前記優先度を他の前記物体領域の優先度よりも高くなるよう設定する、
解析処理システム。
【請求項５】
請求項４に記載の解析処理システムであって、
前記品質判定手段は、優先度が他の前記物体領域よりも高く設定された前記新規物体後続領域の情報に基づいて、当該新規物体後続領域の予め設定された基準に基づく品質を判定し、
前記優先度設定手段は、前記品質判定手段にて判定した前記新規物体後続領域の品質が予め設定された基準を満たす場合に、当該新規物体後続領域が含まれる画像にさらに後続する画像内における前記新規物体後続領域に対する前記優先度を他の前記物体領域の優先度よりも高くする設定処理を行わない、
解析処理システム。
【請求項６】
請求項２乃至５のいずれかに記載の解析処理システムであって、
前記品質判定手段は、前記物体領域に対する予め設定された解析処理を行う解析処理手段による解析処理結果に基づいて当該物体領域の品質を判定する、
解析処理システム。
【請求項７】
請求項２乃至５のいずれかに記載の解析処理システムであって、
前記物体領域に設定された優先度が高い順に、当該物体領域に対する予め設定された解析処理を行う解析処理手段を備え、
前記品質判定手段は、前記解析処理手段による前記物体領域に対する解析処理結果に基づいて当該物体領域の品質を判定する、
解析処理システム。
【請求項８】
請求項６又は７に記載の解析処理システムであって、
前記解析処理手段は、前記物体領域内における予め設定された特徴量を抽出する特徴量抽出処理を行い、
前記品質判定手段は、前記解析処理手段による前記特徴量の抽出結果に基づいて前記物体領域の品質を判定する、
解析処理システム。
【請求項９】
請求項１乃至８のいずれかに記載の解析処理システムであって、
前記物体検出手段にて設定した前記物体領域の情報を記憶装置に記憶する物体領域情報記憶処理手段を備え、
前記新規物体領域特定手段は、過去に取得された画像における前記記憶装置に記憶された前記物体領域の情報と、新たに取得された画像における前記物体検出手段にて設定された前記物体領域の情報と、に基づいて、過去に取得された画像内に対して新たに取得された画像内に新たに出現した物体が含まれる前記物体領域を前記新規物体領域として特定する、
解析処理システム。
【請求項１０】
請求項９に記載の解析処理システムであって、
前記新規物体領域特定手段は、予め設定された基準により、過去に取得された画像における前記物体領域に対して、新たに取得された画像における前記物体領域を対応付け、これにより過去に取得された画像における前記物体領域に対応付けられなかった新たに取得された画像における前記物体領域を、前記新規物体領域として特定する、
解析処理システム。
【請求項１１】
請求項２乃至８のいずれかに記載の解析処理システムであって、
前記物体検出手段にて設定した前記物体領域の情報を記憶装置に記憶する物体領域情報記憶処理手段を備え、
前記新規物体領域特定手段は、過去に取得された画像における前記記憶装置に記憶された前記物体領域の情報と、新たに取得された画像における前記物体検出手段にて設定された前記物体領域の情報と、に基づいて、過去に取得された画像内に対して新たに取得された画像内に新たに出現した物体が含まれる前記物体領域を前記新規物体領域として特定し、
前記優先度設定手段は、前記品質判定手段にて判定した前記新規物体領域の品質が予め設定された基準を満たさない場合に、当該新規物体領域として特定された前記物体領域の情報を前記記憶装置から削除する、
解析処理システム。
【請求項１２】
カメラにて撮影した画像を取得し、当該取得した画像内において予め設定された特徴を有する物体を検出し、当該物体が検出された画像内における位置を基準とした所定範囲を物体領域として設定する物体検出手段と、
前記物体領域の情報を記憶装置に記憶する物体領域情報記憶処理手段と、
過去に取得された画像における前記記憶装置に記憶された前記物体領域の情報と、新たに取得された画像における前記物体検出手段にて設定された前記物体領域の情報と、に基づいて、過去に取得された画像内に対して新たに取得された画像内に新たに出現した物体が含まれる前記物体領域を新規物体領域として特定し、当該新規物体領域に対する所定の解析処理を実行する優先度合いを表す優先度を、他の前記物体領域の優先度よりも高くなるよう設定する新規物体領域特定手段と、
を備えた解析処理システム。
【請求項１３】
情報処理装置に、
カメラにて撮影した画像を取得し、当該取得した画像内において予め設定された特徴を有する物体を検出し、当該物体が検出された画像内における位置を基準とした所定範囲を物体領域として設定する物体検出手段と、
前記物体領域の情報に基づいて、新たに取得された画像内に新たに出現した物体が含まれる前記物体領域を新規物体領域として特定し、当該新規物体領域に対する所定の解析処理を実行する優先度合いを表す優先度を、他の前記物体領域の優先度よりも高くなるよう設定する新規物体領域特定手段と、
を実現させるためのプログラム。
【請求項１４】
請求項１３に記載のプログラムであって、
前記情報処理装置に、さらに、
前記新規物体領域の情報に基づいて、当該新規物体領域の予め設定された基準に基づく品質を判定する品質判定手段と、
前記新規物体領域が含まれる画像に後続する画像内において、当該新規物体領域に出現した物体と同一物体が出現している前記物体領域である新規物体後続領域に対する前記優先度を、前記品質判定手段にて判定した前記新規物体領域の品質に基づいて、他の前記物体領域の優先度よりも高くなるよう設定する優先度設定手段と、
を実現させるためのプログラム。
【請求項１５】
請求項１４に記載のプログラムであって、
前記優先度設定手段は、前記品質判定手段にて判定した前記新規物体領域の品質が予め設定された基準を満たさない場合に、前記新規物体後続領域に対する前記優先度を他の前記物体領域の優先度よりも高くなるよう設定する、
プログラム。
【請求項１６】
情報処理装置に、
カメラにて撮影した画像を取得し、当該取得した画像内において予め設定された特徴を有する物体を検出し、当該物体が検出された画像内における位置を基準とした所定範囲を物体領域として設定する物体検出手段と、
前記物体領域の情報を記憶装置に記憶する物体領域情報記憶処理手段と、
過去に取得された画像における前記記憶装置に記憶された前記物体領域の情報と、新たに取得された画像における前記物体検出手段にて設定された前記物体領域の情報と、に基づいて、過去に取得された画像内に対して新たに取得された画像内に新たに出現した物体が含まれる前記物体領域を新規物体領域として特定し、当該新規物体領域に対する所定の解析処理を実行する優先度合いを表す優先度を、他の前記物体領域の優先度よりも高くなるよう設定する新規物体領域特定手段と、
を実現させるためのプログラム。
【請求項１７】
カメラにて撮影した画像を取得し、当該取得した画像内において予め設定された特徴を有する物体を検出し、当該物体が検出された画像内における位置を基準とした所定範囲を物体領域として設定し、
前記物体領域の情報に基づいて、新たに取得された画像内に新たに出現した物体が含まれる前記物体領域を新規物体領域として特定し、当該新規物体領域に対する所定の解析処理を実行する優先度合いを表す優先度を、他の前記物体領域の優先度よりも高くなるよう設定する、
解析処理方法。
【請求項１８】
請求項１７に記載の解析処理方法であって、
前記新規物体領域の情報に基づいて、当該新規物体領域の予め設定された基準に基づく品質を判定し、
前記新規物体領域が含まれる画像に後続する画像内において、当該新規物体領域に出現した物体と同一物体が出現している前記物体領域である新規物体後続領域に対する前記優先度を、前記判定した新規物体領域の品質に基づいて、他の前記物体領域の優先度よりも高くなるよう設定する、
解析処理方法。
【請求項１９】
請求項１８に記載の解析処理方法であって、
前記判定した新規物体領域の品質が予め設定された基準を満たさない場合に、前記新規物体後続領域に対する前記優先度を他の前記物体領域の優先度よりも高くなるよう設定する、
解析処理方法。
【請求項２０】
カメラにて撮影した画像を取得し、当該取得した画像内において予め設定された特徴を有する物体を検出し、当該物体が検出された画像内における位置を基準とした所定範囲を物体領域として設定し、
前記物体領域の情報を記憶装置に記憶し、
過去に取得された画像における前記記憶装置に記憶された前記物体領域の情報と、新たに取得された画像における前記物体検出手段にて設定された前記物体領域の情報と、に基づいて、過去に取得された画像内に対して新たに取得された画像内に新たに出現した物体が含まれる前記物体領域を新規物体領域として特定し、当該新規物体領域に対する所定の解析処理を実行する優先度合いを表す優先度を、他の前記物体領域の優先度よりも高くなるよう設定する、
解析処理方法。
【発明の詳細な説明】
【技術分野】
【０００１】
本発明は、解析処理システムにかかり、特に、カメラにて撮影した画像を解析する解析処理システムに関する。
【背景技術】
【０００２】
近年、情報処理技術の発達に伴い、様々なデータの解析を行う解析システムの開発が行われている。例えば、監視カメラにて撮影した画像を解析して、予め登録された特定の人物や物体などの存在を検出する解析システムがある。このような解析システムでは、監視カメラにて画像を撮影してから所定の時間内に、特定の人物などの存在を検出することが要求される。このため、高速な解析処理を実行されることが望まれている。【０００３】
一方で、監視カメラが多数あり、これらで撮影した多数の画像内に同時に多数の人物や物体が映っている場合には、特定の人物や物体を検出するための処理が多数となり、解析処理装置に対する処理依頼が集中してしまう。すると、解析処理装置にて高速な解析処理を実現できず、特定の人物や物体を検出するまでの時間が多くかかってしまう、という問題が生じる。なお、監視カメラが１つの場合であっても、画像内に同時に多数の人物や物体が映っている場合には、上述同様に、特定の人物や物体を検出するまでの時間が多くかかってしまう。【０００４】
ここで、特許文献１には、監視カメラにて撮影した画像から特定の人物を検出するための技術が記載されている。具体的に、特許文献１の技術では、カメラから入力される入力画像において検出された顔画像の位置などに基づいて、入力画像毎に処理の優先度を設定する、という処理を行っている。例えば、画像の横端に近い位置に顔領域が存在する画像については、当該画像に対する解析処理の優先度を高く設定する、ことが記載されている。
【先行技術文献】
【特許文献】
【０００５】
【特許文献１】特開２０１１−７０５７６号公報
【発明の概要】
【発明が解決しようとする課題】
【０００６】
しかしながら、上述した特許文献１に開示の技術では、入力画像において検出された顔画像の位置などの条件に基づいて、「入力画像毎」に解析処理の優先度を設定している。このため、優先度が高く設定された入力画像が優先的に処理されることとなるが、かかる入力画像全体に対して解析処理が実行されるため、不要な画像領域に対する解析処理も実行されうる。すると、結果として、所望の領域に対する解析結果を迅速に得ることができない、という問題が生じる。【０００７】
このため、本発明の目的は、画像処理を行う解析処理システム、プログラム、解析処理方法において、所望の領域に対する解析結果を迅速に得ることができない、という課題を解決することにある。
【課題を解決するための手段】
【０００８】
本発明の一形態である解析処理システムは、
カメラにて撮影した画像を取得し、当該取得した画像内において予め設定された特徴を有する物体を検出し、当該物体が検出された画像内における位置を基準とした所定範囲を物体領域として設定する物体検出手段と、
前記物体領域の情報に基づいて、新たに取得された画像内に新たに出現した物体が含まれる前記物体領域を新規物体領域として特定し、当該新規物体領域に対する所定の解析処理を実行する優先度合いを表す優先度を、他の前記物体領域の優先度よりも高くなるよう設定する新規物体領域特定手段と、
を備えた、
という構成をとる。【０００９】
また、本発明の他の形態である解析処理システムは、
カメラにて撮影した画像を取得し、当該取得した画像内において予め設定された特徴を有する物体を検出し、当該物体が検出された画像内における位置を基準とした所定範囲を物体領域として設定する物体検出手段と、
前記物体領域の情報を記憶装置に記憶する物体領域情報記憶処理手段と、
過去に取得された画像における前記記憶装置に記憶された前記物体領域の情報と、新たに取得された画像における前記物体検出手段にて設定された前記物体領域の情報と、に基づいて、過去に取得された画像内に対して新たに取得された画像内に新たに出現した物体が含まれる前記物体領域を新規物体領域として特定し、当該新規物体領域に対する所定の解析処理を実行する優先度合いを表す優先度を、他の前記物体領域の優先度よりも高くなるよう設定する新規物体領域特定手段と、
を備えた、
という構成をとる。【００１０】
また、本発明の他の形態であるプログラムは、
情報処理装置に、
カメラにて撮影した画像を取得し、当該取得した画像内において予め設定された特徴を有する物体を検出し、当該物体が検出された画像内における位置を基準とした所定範囲を物体領域として設定する物体検出手段と、
前記物体領域の情報に基づいて、新たに取得された画像内に新たに出現した物体が含まれる前記物体領域を新規物体領域として特定し、当該新規物体領域に対する所定の解析処理を実行する優先度合いを表す優先度を、他の前記物体領域の優先度よりも高くなるよう設定する新規物体領域特定手段と、
を実現させる、
という構成をとる。【００１１】
また、本発明の他の形態であるプログラムは、
情報処理装置に、
カメラにて撮影した画像を取得し、当該取得した画像内において予め設定された特徴を有する物体を検出し、当該物体が検出された画像内における位置を基準とした所定範囲を物体領域として設定する物体検出手段と、
前記物体領域の情報を記憶装置に記憶する物体領域情報記憶処理手段と、
過去に取得された画像における前記記憶装置に記憶された前記物体領域の情報と、新たに取得された画像における前記物体検出手段にて設定された前記物体領域の情報と、に基づいて、過去に取得された画像内に対して新たに取得された画像内に新たに出現した物体が含まれる前記物体領域を新規物体領域として特定し、当該新規物体領域に対する所定の解析処理を実行する優先度合いを表す優先度を、他の前記物体領域の優先度よりも高くなるよう設定する新規物体領域特定手段と、
を実現させる、
という構成をとる。【００１２】
また、本発明の他の形態である解析処理方法は、
カメラにて撮影した画像を取得し、当該取得した画像内において予め設定された特徴を有する物体を検出し、当該物体が検出された画像内における位置を基準とした所定範囲を物体領域として設定し、
前記物体領域の情報に基づいて、新たに取得された画像内に新たに出現した物体が含まれる前記物体領域を新規物体領域として特定し、当該新規物体領域に対する所定の解析処理を実行する優先度合いを表す優先度を、他の前記物体領域の優先度よりも高くなるよう設定する、
という構成をとる。【００１３】
また、本発明の他の形態である解析処理方法は、
カメラにて撮影した画像を取得し、当該取得した画像内において予め設定された特徴を有する物体を検出し、当該物体が検出された画像内における位置を基準とした所定範囲を物体領域として設定し、
前記物体領域の情報を記憶装置に記憶し、
過去に取得された画像における前記記憶装置に記憶された前記物体領域の情報と、新たに取得された画像における前記物体検出手段にて設定された前記物体領域の情報と、に基づいて、過去に取得された画像内に対して新たに取得された画像内に新たに出現した物体が含まれる前記物体領域を新規物体領域として特定し、当該新規物体領域に対する所定の解析処理を実行する優先度合いを表す優先度を、他の前記物体領域の優先度よりも高くなるよう設定する、
という構成をとる。
【発明の効果】
【００１４】
本発明は、以上のように構成されることにより、画像に対する解析処理の高速化を図ることができる解析処理システム、プログラム、解析処理方法を提供することができる。
【図面の簡単な説明】
【００１５】
【図１】本発明の実施形態１における映像解析システムの構成を示すブロック図である。
【図２】図１に開示した映像解析システムによる画像処理の一例を示す図である。
【図３】図１に開示した映像解析システムによる画像処理の一例を示す図である。
【図４】図１に開示した映像解析システムに記憶されるデータの一例を示す図である。
【図５】図１に開示した映像解析システムによる画像処理の一例を示す図である。
【図６】図１に開示した映像解析システムによる画像処理の一例を示す図である。
【図７】図１に開示した映像解析システムに記憶されるデータの一例を示す図である。
【図８】図１に開示した映像解析システムに記憶されるデータの一例を示す図である。
【図９】図１に開示した映像解析システムによる画像処理の一例を示す図である。
【図１０】図１に開示した映像解析システムに記憶されるデータの一例を示す図である。
【図１１】図１に開示した映像解析システムに記憶されるデータの一例を示す図である。
【図１２】図１に開示した映像解析システムによる画像処理の一例を示す図である。
【図１３】図１に開示した映像解析システムに記憶されるデータの一例を示す図である。
【図１４】図１に開示した映像解析システムに記憶されるデータの一例を示す図である。
【図１５】図１に開示した映像解析システムに記憶されるデータの一例を示す図である。
【図１６】図１に開示した映像解析システムによる画像処理の一例を示す図である。
【図１７】図１に開示した映像解析システムの動作を示す図である。
【図１８】図１に開示した映像解析システムの動作を示す図である。
【図１９】図１に開示した映像解析システムの動作を示すフローチャートである。
【図２０】図１に開示した映像解析システムの動作を示すフローチャートである。
【図２１】本発明の実施形態２における映像解析システムの構成を示すブロック図である。
【図２２】図２１に開示した映像解析システムの動作を示すフローチャートである。
【図２３】本発明の付記１における解析処理システムの構成を示すブロック図である。
【図２４】本発明の付記１２における解析処理システムの構成を示すブロック図である。
【図２５】本発明の付記２１における解析処理システムの構成を示すブロック図である。
【図２６】本発明の付記２２における解析処理システムの構成を示すブロック図である。
【発明を実施するための形態】
【００１６】
＜実施形態１＞
本発明の第１の実施形態を、図１乃至図２０を参照して説明する。図１は、映像解析システムの構成を示す図であり、図２乃至図１６は、映像解析システムに記憶されているデータや解析処理の様子を示す図である。図１７乃至図２０は、映像解析システムの動作を示す図である。
【００１７】
本実施形態における映像解析システム１０（解析処理システム）は、１台又は複数台の情報処理装置にて構成されており、画像に対する所定の解析処理を行う解析処理装置である。具体的に、映像解析システム１０は、監視カメラＣにて撮影された画像内から、予め登録された人物を検出して、アラーム表示アプリケーション３０に通知する処理を行う。なお、映像解析システム１０は、本発明である解析処理システムの一例であって、必ずしも以下に説明する解析処理を実行することに限定されず、他の解析処理を行ってもよい。また、映像解析システム１０は、必ずしも解析処理を行う解析エンジン（解析処理手段）を備えていることに限定されず、他の情報処理装置にて構成された解析エンジンに接続されていてもよい。
【００１８】
映像解析システム１０の構成の一例を、図１に示す。この図に示すように、映像解析システム１０には、まず、上述した監視カメラＣが複数接続されている。各監視カメラＣは、例えば、監視対象となる建物内のそれぞれ異なる個所に設置されており、建物内の各部屋といった各スペースの映像（画像）を撮影して、当該映像を解析システム１０に送信する。
【００１９】
また、映像解析システム１０には、上述したアラーム表示アプリケーション３０が接続されている。このアラーム表示アプリケーション３０は、例えば、建物内の監視を行う者の情報処理端末に組み込まれており、後述するように、映像解析システム１０から通知された情報を監視者に報知すべく、報知情報を情報処理端末の画面に表示したり、音や光などで出力する。
【００２０】
また、映像解析システム１０は、装備された演算装置にプログラムが組み込まれることで構築された、顔位置検出部１１、解析処理優先度算出部１２、解析処理要求管理部１３、解析処理実行制御部１４、顔特徴解析部１５、顔照合部１６、を備えている。また、映像解析システム１０は、装備された記憶装置に、フレーム顔位置情報記憶部２１、解析処理要求情報記憶部２２、解析処理タスク情報記憶部２３、顔特徴情報データベース２４、を備えている。以下、各構成及びその動作について詳述する。
【００２１】
上記顔位置検出部１１（物体検出手段）は、上記各監視カメラＣにて撮影され当該各監視カメラＣから送信された映像を取得し（図１７の矢印Ｙ１、図１９のステップＳ１）、取得した映像のフレーム毎に、当該フレーム内に映っている人間の顔を検出する。具体的に、顔位置検出部１１は、映像を構成するフレームを所定のサンプリング周期で取得し、各フレーム内から人間の顔を検出する。例えば、予め設定された人間の顔の特徴を表す情報（色や形状の情報）に基づいて、フレーム内に映っている人間の顔の位置を検出する。
【００２２】
ここで、監視カメラＣ毎のフレームにおいて人間の顔を検出したときの一例を図２に示す。図２の上段図は、予め割当てられたカメラＩＤが「００１」の監視カメラＣから取得したフレームにて人間の顔を検出したときの様子を示す。また、図２の下段図は、ほぼ同一日時において予め割当てられたカメラＩＤが「００２」の監視カメラＣから取得したフレームにて人間の顔を検出したときの様子を示している。この図の例では、カメラＩＤが「００１」の監視カメラＣから取得したフレームから符号Ｐ１１，Ｐ１２，Ｐ１３に示す人間の顔が検出され、カメラＩＤが「００２」の監視カメラＣから取得したフレームからは符号Ｐ２１，Ｐ２２に示す人間の顔が検出されている。
【００２３】
そして、顔位置検出部１１は、フレーム内において、検出した人間の顔の位置を基準として当該顔が含まれる範囲の画像領域を、人物領域（物体領域）として設定する（図１９のステップＳ２）。具体的に、顔位置検出部１１は、人間の顔として検出した領域全体を囲う矩形の範囲を人物領域として設定したり、人間の顔として検出した位置の重心点を中心として予め設定された範囲を人物領域として設定する。
【００２４】
ここで、取得したフレームにおいて、上述した人物領域を設定したときの一例を図３に示す。図３の上段図は、カメラＩＤが「００１」の監視カメラＣにおいて人物領域を設定したときの様子を示している。図３の下段図は、カメラＩＤが「００２」の監視カメラ２０において人物領域を設定したときの様子を示している。この図の例では、カメラＩＤが「００１」の監視カメラＣから取得したフレームから符号Ｐ１１，Ｐ１２，Ｐ１３に示す人間の顔に対応する人物領域Ａ１１，Ａ１２，Ａ１３が設定され、カメラＩＤが「００２」の監視カメラＣから取得したフレームからは符号Ｐ２１，Ｐ２２に示す人間の顔に対応する人物領域Ａ２１，Ａ２２が設定されている。
【００２５】
なお、上記では、顔位置検出部１１にて人間の顔を検出する方法や人物領域を設定する方法の一例を説明したが、これらの方法は上述した方法に限定されず、他の方法を用いてもよい。また、上記では、人間の顔を検出する場合を例示したが、人間の顔ではなく別の予め設定された物体を検出して、当該物体の領域（物体領域）を設定してもよい。
【００２６】
そして、顔位置検出部１１は、各監視カメラＣにて撮影された映像のフレーム毎に設定した人物領域の情報を、解析処理優先度算出部１２に送信する（図１７の矢印Ｙ２）。このとき、顔位置検出部１１は、撮影した監視カメラＣを特定するカメラＩＤと、フレームが撮影された時の日時情報と、フレーム全体の画像情報と、人物領域の範囲を特定する情報と、を解析対象データとして、解析処理優先度算出部１２に送信する。なお、顔位置検出部１１は、各監視カメラＣからフレームが取得されると、順次、上述したように人物領域を特定し、当該人間領域に関する情報を解析処理優先度算出部１２に送信する。
【００２７】
上記解析処理優先度算出部１２（物体領域情報記憶処理手段、新規物体領域特定手段）は、顔位置検出部１１から送信された上記解析対象データを受信し、同一の監視カメラＣにて撮影した過去（例えば、直前）のフレームに対して新たに出現した人物（物体）が含まれる人物領域（物体領域）を、新規物体領域として特定する。
【００２８】
具体的に、解析処理優先度算出部１２は、まず、顔位置検出部１１から送信された解析対象データを受信して、当該解析対象データをフレーム顔位置情報記憶部２１に記憶する（図１７の矢印Ｙ３、図１９のステップＳ３）。このとき、記憶される解析対象データは、フレーム全体の画像情報に加え、図４に示すように、撮影した監視カメラＣのカメラＩＤと人物領域の範囲を特定する情報と撮影された日時情報とを少なくとも含んでいる。なお、解析処理優先度算出部１２は、顔位置検出部１１から解析対象データを受信するごとに、当該解析対象データをフレーム顔位置情報記憶部２１に記憶する。
【００２９】
続いて、解析処理優先度算出部１２は、顔位置検出部１１から新規に解析対象データを受信すると、受信した解析対象データに対応するフレームを撮影した監視カメラＣと同一の監視カメラＣにて撮影された過去のフレームに関する解析対象データを、フレーム顔位置情報記憶部２１から読み出す（図１７の矢印Ｙ３）。例えば、新規の解析対象データに含まれるカメラＩＤや撮影日時に基づいて、同一の監視カメラＣにて撮影された直前のフレームの解析対象データを読み取る。
【００３０】
ここで、解析処理優先度算出部１２が、例えば、図５（Ｂ）に示すように、カメラＩＤが「００１」の監視カメラＣにて撮影したフレームの解析対象データを新規に受信し、図５（Ａ）に示すように同一のカメラＩＤ「００１」の監視カメラＣにて直前に撮影したフレームの解析対象データを、フレーム顔位置情報記憶部２１から読み出した場合を考える。なお、図５（Ｂ）に示す新規のフレームでは、人間の顔に対応する人物領域Ａ４１，Ａ４２，Ａ４３，Ａ４４が設定されており、図５（Ａ）に示すその直前（過去）のフレームでは、人間の顔に対応する人物領域Ａ３１，Ａ３２，Ａ３３が設定されている。
【００３１】
続いて、解析処理優先度算出部１２は、直前のフレームにおける人物領域Ａ３１〜Ａ３３に対して、新規のフレーム内における人物領域Ａ４１〜Ａ４４の対応付けを行う。このとき、例えば、直前のフレームにおける各人物領域Ａ３１〜Ａ３３に対して、人物領域間の距離が短い新規のフレームにおける人物領域Ａ４１〜Ａ４４を対応付ける。
【００３２】
具体的に、解析処理優先度算出部１２による対応付けの処理を、図６を参照して説明する。図６（Ａ）は、同一の監視カメラＣで撮影した新規のフレームにおける人物領域（実線）（図５（Ｂ））と、直前のフレームにおける人物領域（点線）（図５（Ａ））と、を重ね合わせたときの様子を示しており、図６（Ｂ）は、各人物領域を対応付ける処理の様子を示している。
【００３３】
まず、図６（Ｂ）に示すように、新規のフレームの人物領域（実線）の一点である矩形の左上の角から、直前のフレームの人物領域（点線）の一点である矩形の左上の角までの距離を調べ（図１９のステップＳ４）、かかる距離が最も短い人物領域同士を対応付ける（図１９のステップＳ５）。その後、残りの人物領域間の距離を調べ、かかる距離が最も短い人物領域同士を付け、かかる処理を繰り返す（図１９のステップＳ４，Ｓ５を繰り返す）。ここでは、直前のフレームにおける人物領域Ａ３１と新規のフレームにおける人物領域Ａ４１とが対応付けられ、人物領域Ａ３２とＡ４２、人物領域Ａ３３とＡ４３がそれぞれ対応付けられる。すると、新規のフレームにおける人物領域Ａ４４が、直前のフレームにおけるいずれの人物領域に対応付けられないこととなる。
【００３４】
続いて、解析処理優先度算出部１２は、上述したように対応づけられなかった新規のフレームにおける人物領域Ａ４４から直前のフレームにおける全ての人物領域Ａ３１，Ａ３２，Ａ３３までの距離をそれぞれ調べる。そして、解析処理優先度算出部１２は、対応づけられなかった新規のフレームにおける人物領域Ａ４４から直前のフレームにおける人物領域Ａ３１等までの距離が予め設定された値以上である場合に、対応づけられなかった人物領域Ａ４４を、「新規物体領域」として特定する（図１９のステップＳ６）。ここで、新規物体領域とは、直前のフレーム内に対して新規のフレーム内に新たに出現した人物が含まれる物体領域である。
【００３５】
一方、解析処理優先度算出部１２は、直前のフレーム内の人物領域と対応付けられた人物領域Ａ４１，Ａ４２，Ａ４３を「新規物体後続領域」として特定する。これら新規物体後続領域とは、過去のフレームで新規に出現した人物と同一人物が含まれており、過去に新規物体領域と特定された人物領域に後続すると考えられる人物領域である。
【００３６】
なお、解析処理優先度算出部１２は、対応付けられなかった人物領域Ａ４４を、当該人物領域Ａ４４から直前のフレームにおける全ての人物領域Ａ３１，Ａ３２，Ａ３３までの距離を調べることなく、新規物体領域として特定してもよい。また、解析処理優先度算出部１２は、上述したように、各人物領域間の距離が最も短いもの同士から対応付けることなく、各人物領域間の距離が予め設定された距離より短いもの同士を対応付け、対応づけられなかった人物領域を新規物体領域として特定してもよい。
【００３７】
ここで、解析処理優先度算出部１２が新規物体領域を特定する方法は、上述した方法に限定されない。例えば、人物領域間を対応付ける際に算出する各人物領域間の距離は、当該各人物領域の重心点同士の距離を用いてもよく、他の基準に基づいて、人物領域間を対応づけてもよい。また、各人物領域間の距離を用いることなく、新規のフレームにおける人物領域の面積と、直前のフレームにおける人物領域の面積と、を比較して、各面積の差が小さいものから人物領域間の対応付けを行ってもよく、各面積の差が一定値より小さいもの同士を対応付けてもよい。
【００３８】
また、上記では、新規のフレームにおける新規物体領域を特定する方法として、新規のフレームに対する直前のフレームを用いることを説明したが、新規のフレームに対して直前のフレームを用いるのではなく、さらに過去のフレームを用いてもよい。例えば、新規のフレームにおける人物領域に対して、過去の予め設定された時間内における１つあるいは複数のフレームにおける人物領域を対応付けることで、新規のフレーム内における新規物体領域を特定してもよい。また、必ずしも新規のフレームと過去のフレームとを用いて新規物体領域を特定することに限定されない。
【００３９】
そして、解析処理優先度算出部１２は、「新規物体領域」として特定した人物領域に対して、当該人物領域を識別する識別情報である人物判定ＩＤを新規に付与する（図１９のステップＳ６）。一方、解析処理優先度算出部１２は、「新規物体後続領域」として特定した人物領域に対しては、直前のフレームで対応付けられた人物領域に既に付与されている人物判定ＩＤを設定する。ここで、図６（Ｂ）の例では、人物領域Ａ４１，Ａ４２，Ａ４３には、新規物体後続領域として、直前のフレームで対応付けられた人物領域Ａ３１，Ａ３２，Ａ３３にそれぞれ設定された人物判定ＩＤが設定される。また、人物領域Ａ４４には、新規物体領域として、新たな人物判定ＩＤが設定される。
【００４０】
さらに、解析優先度算出部１２は、各人物領域に対して解析処理を実行する優先度合いを表す優先度を設定して、上記人物判定ＩＤに対応付ける（図１９のステップＳ７）。このとき、新規物体領域として特定された人物領域に対しては、他の人物領域よりも高い値の優先度の値を設定する。例えば、新規物体領域に特定された人物領域の優先度は０より大きい値に設定され、それ以外の人物領域の優先度は０に設定される。これにより、新規物体領域として特定された人物領域の優先度の値が、他の人物領域の優先度の値よりも高くなるよう設定される。このとき、他の人物領域は新規物体後続領域であるため、解析優先度算出部１２は、新規物体後続領域の優先度を、新規物体領域に対して設定した優先度よりも低い値である０に設定する。
【００４１】
その後、解析処理優先度算出部１２は、人物領域の画像情報に、タスクＩＤ、人物判定ＩＤ、優先度、撮影された時の日時情報などを付加して、解析処理要求管理部１３に解析処理を行うタスクとして送信する（図１７の矢印Ｙ４）。そして、解析処理要求管理部１３は、受け付けた人物領域の情報であるタスクを解析処理要求情報記憶部２２に記憶する（図１７の矢印Ｙ５）。
【００４２】
ここで、解析処理優先度算出部１２から解析処理要求管理部１３に送信され、解析処理要求情報記憶部２２に記憶される情報であるタスクの一例を、図７を参照して説明する。この図に示すように、解析処理要求情報記憶部２２に記憶される情報は、顔位置検出部１１にて検出された人物領域ごとに「タスクＩＤ」が付与されて識別され、当該タスクＩＤつまり人物ごとに、フレーム時刻、優先度、人物判定ＩＤ、解析データが関連付けられている。例えば、図７の例では、図６（Ｂ）に示すように検出した各人物領域Ａ４１，Ａ４２，Ａ４３，Ａ４４の情報を表している。具体的に、タスクＩＤ＝０００００１，０００００２，０００００３は、それぞれ人物領域Ａ４１、Ａ４２，Ａ４３に関する情報であり、タスクＩＤ＝０００００４は、人物領域Ａ４４に関する情報である。このとき、タスクＩＤ＝０００００１，０００００２，０００００３に対応する人物領域Ａ４１、Ａ４２，Ａ４３は、上述したように新規物体後続領域であるため、これらの優先度は０．００と低優先度に設定されている。一方、タスクＩＤ＝０００００４に対応する人物領域Ａ４４は、上述したように新規物体領域であるため、この優先度は０．１０と高優先度に設定されている（図７の斜線部分参照）。
【００４３】
そして、解析処理要求管理部１３は、解析処理要求情報記憶部２２に記憶されたタスクのうち、優先度が高いものから順に、解析処理実行制御部１４に解析処理を依頼する（図１７の矢印Ｙ６）。例えば、図７の例では、タスクＩＤ＝０００００４のタスク（図７の斜線部分参照）を最優先に解析処理を依頼し、その後、他のタスクの解析処理を依頼する。このとき、解析処理要求管理部１３は、タスクＩＤに解析データや優先度を対応付けた情報を解析処理実行制御部１４に通知し、解析処理を依頼する。
【００４４】
解析処理実行制御部１４は、解析処理要求管理部１３から受け付けた解析処理要求を、解析処理タスク情報記憶部２３に記憶し、解析要求を受けた順に解析処理を実行するよう制御する。例えば、解析処理実行制御部１４は、図８に示すように、各タスクに対して解析処理を実行する解析エンジンを割り当てて、受け付けた順つまり優先度が高い順に解析処理タスク情報記憶部２３に記憶する。図８の例では、優先度が高いタスクＩＤ＝０００００４のタスクに解析エンジンである顔特徴解析エンジン等が割り当てられて記憶される（図８の斜線部分参照）。
【００４５】
ここで、本実施形態では、解析処理実行制御部１４にて実行が制御される解析処理は、顔特徴解析部１５にて実行される人物領域内に映っている人物の顔の特徴量を抽出する特徴量抽出処理と、顔照合部１６にて実行される抽出した人物の顔の特徴量と予め登録されている特徴量とを照合して人物を特定する照合処理である。そして、予め登録されている特徴量とは、解析により発見したい人物の顔の特徴量であり、事前に生成した特徴量が顔特徴情報データベース２４に記憶されている。但し、本発明では、解析処理実行制御部１４にて実行が制御される解析処理は、上述した解析処理に限定されない。
【００４６】
そして、解析処理実行制御部１４は、上記図８に示したように、優先度の高いタスクつまり新規人物領域に対する解析処理を、他の人物領域に優先して実行されるよう制御する。つまり、設定された優先度が高い順に、人物領域内の画像情報に対して特徴量抽出処理と照合処理とを実行するよう、顔特徴解析部１５及び顔照合部１６による解析処理を制御する（図１７の矢印Ｙ８，Ｙ９，Ｙ１０、図２０のステップＳ１１）。これにより、優先度が高く設定された新規物体領域に対する解析処理が迅速に実行されるため、新規のフレームに新たに出現した人物の照合結果を迅速に得ることができる。なお、その後は低優先度の人物領域に対する解析処理も順次行われる。
【００４７】
そして、解析処理実行制御部１４は、最終的な解析結果をアラーム表示アプリケーション３０に通知する（図１７の矢印Ｙ２０、図２０のステップＳ１９）。ここでは、照合処理により顔特徴情報データベースに登録されている人物が検出された場合に、その人物の情報と共に、フレームを撮影した日時情報や監視カメラＣのカメラＩＤ、フレーム内における座標などの撮影した映像に関する情報を通知する。
【００４８】
なお、上述した解析処理優先度算出部１２では、新規物体領域として特定された人物領域の優先度の値を設定することなく、かかる人物領域が新規物体領域であることを表す情報を関連付けてもよい。これに伴い、解析処理要求管理部１３は、新規物体領域である情報が関連付けられている人物領域に対する解析処理を、他の人物領域に優先して実行するよう解析処理実行制御部１４に要求してもよい。
【００４９】
また、解析処理実行制御部１４（品質判定手段）は、解析エンジンにて解析処理を行った人物領域が高優先度のものである場合、つまり、上述した例では新規物体領域である場合には（図２０のステップＳ１２でＹｅｓ）、当該新規物体領域の画像が予め設定された基準による品質を満たすかどうかを判定し（図２０のステップＳ１３）、その品質判定結果を解析処理要求管理部１３に通知する（図１８の矢印Ｙ１１）。具体的に、解析処理実行制御部１４は、顔特徴解析部１５にて実行された新規物体領域に対する特徴量の抽出処理によって所望の特徴量を抽出できなかった場合（例えば、必要な数の特徴点を抽出できなかった場合）に、新規物体領域の品質が予め設定された基準を満たさないと判定し、その旨を解析処理要求管理部１３に通知する（図２０のステップＳ１４でＹｅｓ，ステップＳ１５でＮｏ）。
【００５０】
また、解析処理実行制御部１４は、後述するように、新規物体後続領域であっても高優先度に設定され優先的に解析処理されたものについては、当該新規物体後続領域の品質も判定する（図２０のステップＳ１２でＹｅｓ，ステップＳ１３，ステップＳ１４でＮｏ，ステップＳ１７）。そして、その品質が基準を満たす場合（例えば、顔特徴解析部１５にて必要な数の特徴点を抽出できた場合）には、その旨を解析処理要求管理部１３に通知する（図２０のステップＳ１７でＹｅｓ）。
【００５１】
なお、上述した新規物体領域あるいは新規物体後続領域である人物領域の品質の判定は、他の方法によって行ってもよい。例えば、顔特徴解析部１５にて抽出した特徴量から新規物体領域に映っている顔が正面を向いていない、と判定された場合には、品質が設定基準を満たさないと判定してもよい。上記品質判定結果の利用については後述する。
【００５２】
ここで、上述したように解析処理を実行し、新規物体領域の品質の判定を行っている間にも、監視カメラＣにて撮影された映像が取得される。このため、顔位置検出部１１及び解析処理優先度算出部１２は、上述したように、順次、新規に取得したフレームに対して人間の顔の検出及び人物領域の設定を行い、人物領域の情報をフレーム顔位置情報記憶部２１に記憶する。そして、解析処理優先度算出部１２は、上述同様に、同一の監視カメラＣにて撮影した過去（例えば、直前）のフレームに対して新たに出現した人物（物体）が含まれる人物領域（物体領域）を、新規物体領域として特定する。
【００５３】
ここで、解析処理優先度算出部１２が、例えば、図６（Ａ）に示すフレームに後続するフレームとして、図９（Ａ）に示すように人物領域Ａ５１，Ａ５２，Ａ５３，Ａ５４が設定された新規のフレームを取得した場合を説明する。このとき、この新規のフレームに対する直前（過去）のフレームでは、図９（Ａ）の点線で示す人物領域Ａ４１，Ａ４２，Ａ４３，Ａ４４（図６（Ａ）のフレームの実線部分を参照）が設定されていることとする。そして、解析処理優先度算出部１２は、図９（Ｂ）に示すように、直前のフレームにおける人物領域Ａ４１〜Ａ４４に対して、新規のフレーム内における人物領域Ａ５１〜Ａ５４の対応付けを行う。その結果、ここでは、直前のフレームにおける全ての人物領域Ａ４１〜４４と新規のフレームにおける全ての人物領域Ａ５１〜５４とがそれぞれ対応付けられるため、新規物体領域がない、と判断する。一方、直前のフレームにおいて新規物体領域として特定された人物領域に対応する後続の領域、例えば、上述した人物領域Ａ４４に後続する人物領域Ａ５４については、新規物体後続領域として特定する。
【００５４】
そして、解析処理優先度算出部１２は、「新規物体後続領域」として特定した人物領域に対しては、直前のフレームで対応付けられた人物領域に既に付与されている人物判定ＩＤを設定する。図９（Ｂ）においては、人物領域Ａ５１，Ａ５２，Ａ５３，Ａ５４には、新規物体後続領域として、直前のフレームで対応付けられた人物領域Ａ４１，Ａ４２，Ａ４３，Ａ４４にそれぞれ設定された人物判定ＩＤと同一のものが設定される。
【００５５】
さらに、解析優先度算出部１２は、各人物領域に対して解析処理を実行する優先度合いを表す優先度を設定して、上記人物判定ＩＤに対応付ける。ここでは、全ての人物領域が新規物体後続領域であるため、解析優先度算出部１２は、新規物体後続領域の優先度を、新規物体領域に対して設定した優先度よりも低くなるよう、０．００に設定することとなる。
【００５６】
その後、解析処理優先度算出部１２は、人物領域の画像情報に、タスクＩＤ、人物判定ＩＤ、優先度、撮影された時の日時情報などを付加して、解析処理要求管理部１３に送信する。そして、解析処理要求管理部１３は、受け付けた人物領域の情報を解析処理要求情報記憶部２２に記憶する。
【００５７】
ここで、解析処理優先度算出部１２から解析処理要求管理部１３に送信され、解析処理要求情報記憶部２２に記憶される情報の一例を、図１０を参照して説明する。この図に示すように、各人物領域Ａ５１，Ａ５２，Ａ５３，Ａ５４に対応するタスクＩＤ＝００００１１，００００１２，００００１３，００００１４には、０．００の低優先度が設定される。なお、直前のフレームでは高優先度に設定された人物判定ＩＤ＝１０００４に対応するタスクＩＤ＝００００１４にも、低優先度が設定される（図１０の斜線部分参照）。
【００５８】
そして、解析処理要求管理部１３は、解析処理要求情報記憶部２２に記憶されたタスクのうち、優先度が高いものから順に、解析処理実行制御部１４に解析処理を依頼する。この例では、順次、タスクの解析処理を依頼することにより、解析処理タスク情報記憶部２３には図１１に示すようにタスクが記憶され、解析処理が実行される。なお、直前のフレームでは高優先度に設定された人物判定ＩＤ＝１０００４に対応するタスクＩＤ＝００００１４は、低優先度であるため、優先的に解析処理が行われない（図１１の斜線部分参照）。
【００５９】
続いて、上述同様に、解析処理優先度算出部１２が、上述した図９（Ａ）に示すフレームに後続するフレームとして、さらに図１２（Ａ）に示すように人物領域Ａ６１，Ａ６２，Ａ６３，Ａ６４が設定された新規のフレームを取得した場合を説明する。このとき、この新規のフレームに対して直前（過去）のフレームでは、図１２（Ａ）の点線で示す人物領域Ａ５１，Ａ５２，Ａ５３，Ａ５４が設定されていることとする（図９（Ａ）の実線部分参照）。すると、解析処理優先度算出部１２は、図１２（Ｂ）に示すように、新規のフレームにおける全ての人物領域Ａ６１〜６４が、「新規物体後続領域」として特定される。
【００６０】
そして、解析処理優先度算出部１２は、「新規物体後続領域」として特定した人物領域Ａ６１〜６４に対して、直前のフレームで対応付けられた人物領域に既に付与されている人物判定ＩＤを設定する。ここで、図１２（Ｂ）においては、人物領域Ａ６１，Ａ６２，Ａ６３，Ａ６４には、新規物体後続領域として、直前のフレームで対応付けられた人物領域Ａ５１，Ａ５２，Ａ５３，Ａ５４にそれぞれ設定された人物判定ＩＤと同一のものが設定される。
【００６１】
さらに、解析優先度算出部１２は、各人物領域に対して解析処理を実行する優先度合いを表す優先度を設定して、上記人物判定ＩＤに対応付ける。ここでは、全ての人物領域が新規物体後続領域であるため、解析優先度算出部１２は、新規物体後続領域の優先度を、新規物体領域に対して設定した優先度よりも低くなるよう、０．００に設定することとなる。
【００６２】
その後、解析処理優先度算出部１２は、人物領域の画像情報に、タスクＩＤ、人物判定ＩＤ、優先度、撮影された時の日時情報などを付加して、解析処理要求管理部１３に送信する。そして、解析処理要求管理部１３は、受け付けた人物領域の情報を解析処理要求情報記憶部２２に記憶する。
【００６３】
ここで、解析処理優先度算出部１２から解析処理要求管理部１３に送信され、解析処理要求情報記憶部２２に記憶される情報の一例を、図１３を参照して説明する。この図に示すように、各人物領域Ａ６１，Ａ６２，Ａ６３，Ａ６４に対応するタスクＩＤ＝００００２１，００００２２，００００２３，００００２４には、０．００の低優先度が設定される。なお、過去のフレームでは高優先度に設定された人物判定ＩＤ＝１０００４に対応するタスクＩＤ＝００００１４にも、低優先度が設定される（図１３の斜線部分参照）。
【００６４】
ここで、解析処理要求管理部１３（優先度設定手段）は、上述したように解析処理実行制御部１４から通知された人物領域の品質判定結果に応じて（図１８の矢印Ｙ１１）、解析処理要求情報記憶部２２に記憶しているタスクの優先度を設定する処理を行う（図１８の矢印Ｙ１２）。上述した例では、まず、人物判定ＩＤ＝１０００４の人物が映っている新規物体領域（Ａ４４）の品質が基準を満たさない、と判定されたため、当該新規物体領域に後続し同一人物が映っている新規物体後続領域（人物領域Ａ６４）の優先度を、他の人物領域よりも高く設定する。つまり、図１４のタスクＩＤ＝００００２４に示すように（斜線部分参照）、優先度を０，１０と高優先度に設定する。これは、人物判定ＩＤ＝１０００４の人物が初めて出現した人物領域（新規物体領域）に対しては高優先度で解析処理を行ったが、所望の品質ではないために所望の精度の解析結果を得ることができなかったことから、所望の解析結果が得られるよう後続の人物領域が優先して解析処理されるようにするためである。なお、解析処理要求管理部１３は、他の人物判定ＩＤの人物が映っている人物領域に対しては、そのまま低優先度とする。
【００６５】
そして、解析処理要求管理部１３は、解析処理要求情報記憶部２２に記憶されたタスクのうち、優先度が高いものから順に、解析処理実行制御部１４に解析処理を依頼する（図１８の矢印Ｙ１３）。この例では、順次、タスクの解析処理を依頼することにより、解析処理タスク情報記憶部２３には図１５に示すようにタスクが記憶され、解析処理が実行される。なお、直前のフレームでは低優先度に設定された人物判定ＩＤ＝１０００４に対応するタスクＩＤ＝００００２４は、高優先度に設定されているため、優先的に解析処理が行われる（図１５の斜線部分参照）。
【００６６】
また、解析処理実行制御部１４は、解析エンジンにて解析処理を行った人物領域が高優先度のものである場合には（図２０のステップＳ１２でＹｅｓ）、当該人物領域の画像が所望の品質を満たすかどうかを判定する（図２０のステップＳ１３）。上述した例では、人物判定ＩＤ＝１０００４に対応するタスクＩＤ＝００００２４の新規物体後続領域Ａ６４について、解析処理結果から品質判定を行う（図２０のステップＳ１４でＮｏ，ステップＳ１７）。具体的には、顔特徴解析部１５にて実行された新規物体後続領域Ａ６４に対する特徴量の抽出処理によって所望の特徴量を抽出できた場合（例えば、必要な数の特徴点を抽出できた場合）に、新規物体後続領域Ａ６４の品質が予め設定された基準を満たすと判定し、その旨を解析処理要求管理部１３に通知する（図２０のステップＳ１７でＹｅｓ）。
【００６７】
そして、上述したように、新規物体後続領域Ａ６４の品質が基準を満たす旨の通知を受けた解析処理要求管理部１３は、当該新規物体後続領域Ａ６４に出現している人物判定ＩＤ＝００００２４の人物が出現する後続の人物領域に対しては、優先度を高く設定する処理を停止する。換言すると、人物判定ＩＤ＝１０００４の人物が出現している新規物体後続領域に対しては、解析処理実行制御部１４から品質基準を満たした旨の通知が来るまでは、後続の新規物体後続領域に対する優先度を高くするよう設定し、品質基準を満たした旨の通知が来ると、その後の新規物体後続領域に対して優先度を高くする設定を行わないこととする。これは、人物判定ＩＤ＝１０００４の人物に関しては、所望の精度の解析処理結果が得られたため、その後は優先して解析処理を行う必要が無いと考えられるためである。
【００６８】
ここで、上述してきた人物判定ＩＤ＝１０００４の人物が検出された人物領域の優先度の遷移について、図１６（Ａ）を参照して説明する。まず、図１６（Ａ）に示すように、新規フレームに初めて人物が出現した人物領域である新規物体領域Ｆ１（区間Ｐ１）は、高優先度Ｈに設定され、優先して解析処理が実行される。このとき、新規物体領域Ｆ１に対する品質判定も行われる。なお、上記では、新規物体領域Ｆ１として特定される人物領域は、１フレーム分つまり１つだけであることとして説明しているが、新規物体領域Ｆ１として特定する人物領域は複数であってもよい。つまり、図１６（Ｂ）の区間Ｐ１１の符号Ｆ１１，Ｆ１２に示すように、初めて人物が出現した人物領域から後続する複数フレームにおける同一人物が出現している人物領域までの複数の人物領域を、新規物体領域として特定してもよい。
【００６９】
そして、上記新規物体領域Ｆ１の品質が基準を満たさない旨の通知を受けるまでは、図１６（Ａ）に示す同一人物が出現している後続する新規物体後続領域Ｆ２（区間Ｐ２）は、低優先度Ｌに設定される。このため、図１６（Ｂ）の区間Ｐ１２に示すように、低優先度Ｌに設定される新規物体後続領域Ｆ１３，１４は複数あってもよい。
【００７０】
一方で、図１６（Ａ）に示すように、上記新規物体領域Ｆ１の品質が基準を満たさない旨の通知を受けた後の新規物体後続領域Ｆ３（区間Ｐ３）については、高優先度Ｈに設定される。これにより、新規物体後続領域Ｆ３は、優先して解析処理が実行され、当該新規物体後続領域Ｆ３に対する品質判定も行われる。
【００７１】
その後、上記新規物体後続領域Ｆ３の品質が基準を満たす旨の通知を受けるまでは、図１６（Ａ）に示すさらに後続する新規物体後続領域Ｆ４（区間Ｐ３）は、高優先度Ｈに設定される。このため、図１６（Ｂ）の区間Ｐ１３に示すように、高優先度Ｈに設定される新規物体後続領域Ｆ１５，Ｆ１６は３つ以上あってもよく、あるいは、１つであってもよい。
【００７２】
一方、図１６（Ａ）に示すように、上記新規物体後続領域Ｆ３の品質が基準を満たす旨の通知を受けた後の新規物体後続領域Ｆ５は、低優先度Ｌに設定される。そして、さらに後続する新規物体後続領域Ｆ６・・・については、低優先度Ｌに設定される。
【００７３】
以上のように、本実施形態における解析システムによると、まず新規のフレームに人物の顔が新たに出現した場合には、かかる人物の顔の領域である人物領域に対する解析処理が優先的に実行される。このため、新たに出現した人物の検出などの解析結果を迅速に行うことができる。そして、新たに出現した人物の顔のその後の画像については、優先して処理した最初の人物領域の品質が設定基準を満たさない場合に、優先的に解析処理がなされる。このため、所望の解析結果が得られるまで、かかる人物の解析処理を高速に行い、迅速に人物検出を行うことができる。
【００７４】
なお、上記では、人物領域（新規物体領域、新規物体後続領域）の品質の判定を、解析エンジンによる解析結果を利用して行っていたが、別の方法により人物領域の品質判定を行ってもよい。例えば、人物領域に出現している人物の顔の面積から品質を判定してもよく、別途、予め設定された基準に基づく品質を判定するための処理部を設けてもよい。
【００７５】
＜実施形態２＞
本発明の第２の実施形態を、図２１乃至図２２を参照して説明する。図２１は、映像解析システムの構成を示す図であり、図２２は、映像解析システムの動作を示す図である。
【００７６】
本実施形態における映像解析システム１０は、上述した実施形態１とほぼ同一の構成をとっているが、人物領域の優先度を設定する処理が異なる。以下、上述した実施形態とは異なる構成及び動作について主に説明する。
【００７７】
本実施形態における解析処理実行制御部１４（品質判定手段、物体領域情報削除手段）は、優先度が高く設定された人物領域の解析処理結果に基づく品質判定結果に応じて、当該人物領域に関する過去の情報を映像解析システム１０内から削除する。これにより、削除された人物領域に出現している人物は、後続するフレームにおいて新たに出現した人物と判定されるため、優先度が高く設定されることとなる。このように、解析処理実行制御部１４は、上述した解析処理要求管理部１３による新規物体後続領域に対して優先度を高く設定する処理を同様の効果をもたらす機能（優先度設定手段）を有する。
【００７８】
具体的に、本実施形態における映像解析システム１０は、まず、新規のフレーム内における人物領域を設定し、当該人物領域の情報をフレーム顔位置情報記憶部２１に記憶する。そして、映像解析システム１０は、記憶している過去の人物領域の情報と、新規のフレームの人物領域の情報に基づいて、新規に出現した人物領域を新規物体領域として特定し、当該新規物体領域の優先度を高く設定する（図１９のフローチャートを参照）。
【００７９】
続いて、本実施形態における映像解析システム１０は、解析処理実行制御部１４にて、優先度が高く設定された新規物体領域に対する解析処理を優先的に実行する（図２２のステップＳ２１、ステップＳ２２でＹｅｓ）。また、解析処理実行制御部１４は、新規物体領域の解析結果から、当該新規物体領域の品質を判定する（図２２のステップＳ２３）。このとき、解析処理実行制御部１４は、新規物体領域の品質が予め設定された基準を満たすと判定すると（図２２のステップＳ２４でＹｅｓ）、新規物体領域の解析結果に応じてアラーム表示を行う（図２２のステップＳ２６）。
【００８０】
一方、解析処理実行制御部１４は、新規物体領域の品質が予め設定された基準を満たさないと判定すると（図２２のステップＳ２４でＮｏ）、新規物体領域として特定された人物領域の情報を、フレーム顔位置情報記憶部２１から削除する（図２２のステップＳ２５）。すると、上記新規物体領域に出現している人物と同一人物が後続の新規フレームに出現した場合には、当該同一人物が出現している過去のフレームにおける人物領域の情報が記憶されていないため、新規フレームにおける同一人物の人物領域が、再度、新規物体領域として特定される。これにより、予め設定された品質の人物領域の情報が得られない場合には、当該人物領域の優先度が高く設定されるため、優先して解析処理が実行されることとなり、所望の解析結果を迅速に得ることができる。
【００８１】
なお、上述した場合においても、新規物体領域の品質の判定は、必ずしも解析エンジンによる解析結果を利用する必要はなく、別の方法により人物領域の品質判定を行ってもよい。
【００８２】
＜付記＞
上記実施形態の一部又は全部は、以下の付記のようにも記載されうる。以下、本発明における解析処理システム（図２３乃至図２６参照）、プログラム、解析処理方法の構成の概略を説明する。但し、本発明は、以下の構成に限定されない。
【００８３】
（付記１：図２３参照）
カメラ１１０にて撮影した画像を取得し、当該取得した画像内において予め設定された特徴を有する物体を検出し、当該物体が検出された画像内における位置を基準とした所定範囲を物体領域として設定する物体検出手段１０１と、
前記物体領域の情報に基づいて、新たに取得された画像内に新たに出現した物体が含まれる前記物体領域を新規物体領域として特定し、当該新規物体領域に対する所定の解析処理を実行する優先度合いを表す優先度を、他の前記物体領域の優先度よりも高くなるよう設定する新規物体領域特定手段１０２と、
を備えた解析処理システム１００。
【００８４】
（付記２）
付記１に記載の解析処理システムであって、
前記新規物体領域の情報に基づいて、当該新規物体領域の予め設定された基準に基づく品質を判定する品質判定手段と、
前記新規物体領域が含まれる画像に後続する画像内において、当該新規物体領域に出現した物体と同一物体が出現している前記物体領域である新規物体後続領域に対する前記優先度を、前記品質判定手段にて判定した前記新規物体領域の品質に基づいて、他の前記物体領域の優先度よりも高くなるよう設定する優先度設定手段と、
を備えた解析処理システム。
【００８５】
（付記３）
付記２に記載の解析処理システムであって、
前記優先度設定手段は、前記品質判定手段にて判定した前記新規物体領域の品質が予め設定された基準を満たさない場合に、前記新規物体後続領域に対する前記優先度を他の前記物体領域の優先度よりも高くなるよう設定する、
解析処理システム。
【００８６】
（付記４）
付記３に記載の解析処理システムであって、
前記新規物体領域特定手段は、新たに取得された画像内における前記新規物体後続領域に対する前記優先度を、前記新規物体領域に対して設定した優先度よりも低くなるよう設定し、
前記優先度設定手段は、前記品質判定手段にて判定した前記新規物体領域の品質が予め設定された基準を満たさない場合に、前記新規物体後続領域に対する前記優先度を他の前記物体領域の優先度よりも高くなるよう設定する、
解析処理システム。
【００８７】
（付記５）
付記４に記載の解析処理システムであって、
前記品質判定手段は、優先度が他の前記物体領域よりも高く設定された前記新規物体後続領域の情報に基づいて、当該新規物体後続領域の予め設定された基準に基づく品質を判定し、
前記優先度設定手段は、前記品質判定手段にて判定した前記新規物体後続領域の品質が予め設定された基準を満たす場合に、当該新規物体後続領域が含まれる画像にさらに後続する画像内における前記新規物体後続領域に対する前記優先度を他の前記物体領域の優先度よりも高くする設定処理を行わない、
解析処理システム。
【００８８】
（付記６）
付記２乃至５のいずれかに記載の解析処理システムであって、
前記品質判定手段は、前記物体領域に対する予め設定された解析処理を行う解析処理手段による解析処理結果に基づいて当該物体領域の品質を判定する、
解析処理システム。
【００８９】
（付記７）
付記２乃至５のいずれかに記載の解析処理システムであって、
前記物体領域に設定された優先度が高い順に、当該物体領域に対する予め設定された解析処理を行う解析処理手段を備え、
前記品質判定手段は、前記解析処理手段による前記物体領域に対する解析処理結果に基づいて当該物体領域の品質を判定する、
解析処理システム。
【００９０】
（付記８）
付記６又は７に記載の解析処理システムであって、
前記解析処理手段は、前記物体領域内における予め設定された特徴量を抽出する特徴量抽出処理を行い、
前記品質判定手段は、前記解析処理手段による前記特徴量の抽出結果に基づいて前記物体領域の品質を判定する、
解析処理システム。
【００９１】
（付記９）
付記１乃至８のいずれかに記載の解析処理システムであって、
前記物体検出手段にて設定した前記物体領域の情報を記憶装置に記憶する物体領域情報記憶処理手段を備え、
前記新規物体領域特定手段は、過去に取得された画像における前記記憶装置に記憶された前記物体領域の情報と、新たに取得された画像における前記物体検出手段にて設定された前記物体領域の情報と、に基づいて、過去に取得された画像内に対して新たに取得された画像内に新たに出現した物体が含まれる前記物体領域を前記新規物体領域として特定する、
解析処理システム。
【００９２】
（付記１０）
付記９に記載の解析処理システムであって、
前記新規物体領域特定手段は、予め設定された基準により、過去に取得された画像における前記物体領域に対して、新たに取得された画像における前記物体領域を対応付け、これにより過去に取得された画像における前記物体領域に対応付けられなかった新たに取得された画像における前記物体領域を、前記新規物体領域として特定する、
解析処理システム。
【００９３】
（付記１１）
付記２乃至８のいずれかに記載の解析処理システムであって、
前記物体検出手段にて設定した前記物体領域の情報を記憶装置に記憶する物体領域情報記憶処理手段を備え、
前記新規物体領域特定手段は、過去に取得された画像における前記記憶装置に記憶された前記物体領域の情報と、新たに取得された画像における前記物体検出手段にて設定された前記物体領域の情報と、に基づいて、過去に取得された画像内に対して新たに取得された画像内に新たに出現した物体が含まれる前記物体領域を前記新規物体領域として特定し、
前記優先度設定手段は、前記品質判定手段にて判定した前記新規物体領域の品質が予め設定された基準を満たさない場合に、当該新規物体領域として特定された前記物体領域の情報を前記記憶装置から削除する、
解析処理システム。
【００９４】
（付記１２：図２４参照）
カメラ２１０にて撮影した画像を取得すると共に、当該取得した画像内において予め設定された特徴を有する物体を検出して、当該物体が検出された画像内における位置を基準とした所定範囲を物体領域として設定する物体検出手段２０１と、
前記物体領域の情報を記憶装置２２０に記憶する物体領域情報記憶処理手段２０２と、
過去に取得された画像における前記記憶装置２２０に記憶された前記物体領域の情報と、新たに取得された画像における前記物体検出手段にて設定された前記物体領域の情報と、に基づいて、過去に取得された画像内に対して新たに取得された画像内に新たに出現した物体が含まれる前記物体領域を新規物体領域として特定すると共に、当該新規物体領域に対する所定の解析処理を実行する優先度合いを表す優先度を、他の前記物体領域の優先度よりも高くなるよう設定する新規物体領域特定手段２０３と、
を備えた解析処理システム２００。
【００９５】
（付記１２−２）
付記１２に記載の解析処理システムであって、
前記新規物体領域の情報に基づいて、当該新規物体領域の予め設定された基準に基づく品質を判定する品質判定手段と、
前記品質判定手段にて判定した前記新規物体領域の品質が予め設定された基準を満たさない場合に、当該新規物体領域として特定された前記物体領域の情報を前記記憶装置から削除する物体領域情報削除手段と、
を備えた解析処理システム。
【００９６】
（付記１３）
情報処理装置に、
カメラにて撮影した画像を取得し、当該取得した画像内において予め設定された特徴を有する物体を検出し、当該物体が検出された画像内における位置を基準とした所定範囲を物体領域として設定する物体検出手段と、
前記物体領域の情報に基づいて、新たに取得された画像内に新たに出現した物体が含まれる前記物体領域を新規物体領域として特定し、当該新規物体領域に対する所定の解析処理を実行する優先度合いを表す優先度を、他の前記物体領域の優先度よりも高くなるよう設定する新規物体領域特定手段と、
を実現させるためのプログラム。
【００９７】
（付記１４）
付記１３に記載のプログラムであって、
前記情報処理装置に、さらに、
前記新規物体領域の情報に基づいて、当該新規物体領域の予め設定された基準に基づく品質を判定する品質判定手段と、
前記新規物体領域が含まれる画像に後続する画像内において、当該新規物体領域に出現した物体と同一物体が出現している前記物体領域である新規物体後続領域に対する前記優先度を、前記品質判定手段にて判定した前記新規物体領域の品質に基づいて、他の前記物体領域の優先度よりも高くなるよう設定する優先度設定手段と、
を実現させるためのプログラム。
【００９８】
（付記１５）
付記１４に記載のプログラムであって、
前記優先度設定手段は、前記品質判定手段にて判定した前記新規物体領域の品質が予め設定された基準を満たさない場合に、前記新規物体後続領域に対する前記優先度を他の前記物体領域の優先度よりも高くなるよう設定する、
プログラム。
【００９９】
（付記１５−２）
付記１５に記載のプログラムであって、
前記新規物体領域特定手段は、新たに取得された画像内における前記新規物体後続領域に対する前記優先度を、前記新規物体領域に対して設定した優先度よりも低くなるよう設定し、
前記優先度設定手段は、前記品質判定手段にて判定した前記新規物体領域の品質が予め設定された基準を満たさない場合に、前記新規物体後続領域に対する前記優先度を他の前記物体領域の優先度よりも高くなるよう設定する、
プログラム。
【０１００】
（付記１５−３）
付記１５−２に記載のプログラムであって、
前記品質判定手段は、優先度が他の前記物体領域よりも高く設定された前記新規物体後続領域の情報に基づいて、当該新規物体後続領域の予め設定された基準に基づく品質を判定し、
前記優先度設定手段は、前記品質判定手段にて判定した前記新規物体後続領域の品質が予め設定された基準を満たす場合に、当該新規物体後続領域が含まれる画像にさらに後続する画像内における前記新規物体後続領域に対する前記優先度を他の前記物体領域の優先度よりも高くする設定処理を行わない、
プログラム。
【０１０１】
（付記１５−４）
付記１４乃至１５−３のいずれかに記載のプログラムであって、
前記品質判定手段は、前記物体領域に対する予め設定された解析処理を行う解析処理手段による解析処理結果に基づいて当該物体領域の品質を判定する、
プログラム。
【０１０２】
（付記１５−５）
付記１４乃至１５−３のいずれかに記載のプログラムであって、
情報処理装置に、さらに、前記物体領域に設定された優先度が高い順に、当該物体領域に対する予め設定された解析処理を行う解析処理手段を実現させると共に、
前記品質判定手段は、前記解析処理手段による前記物体領域に対する解析処理結果に基づいて当該物体領域の品質を判定する、
プログラム。
【０１０３】
（付記１５−６）
付記１５−４又は１５−５に記載のプログラムであって、
前記解析処理手段は、前記物体領域内における予め設定された特徴量を抽出する特徴量抽出処理を行い、
前記品質判定手段は、前記解析処理手段による前記特徴量の抽出結果に基づいて前記物体領域の品質を判定する、
プログラム。
【０１０４】
（付記１５−７）
付記１３乃至１５−６のいずれかに記載のプログラムであって、
情報処理装置に、さらに、前記物体検出手段にて設定した前記物体領域の情報を記憶装置に記憶する物体領域情報記憶処理手段を実現させると共に、
前記新規物体領域特定手段は、過去に取得された画像における前記記憶装置に記憶された前記物体領域の情報と、新たに取得された画像における前記物体検出手段にて設定された前記物体領域の情報と、に基づいて、過去に取得された画像内に対して新たに取得された画像内に新たに出現した物体が含まれる前記物体領域を前記新規物体領域として特定する、
プログラム。
【０１０５】
（付記１５−８）
付記１５−７に記載のプログラムであって、
前記新規物体領域特定手段は、予め設定された基準により、過去に取得された画像における前記物体領域に対して、新たに取得された画像における前記物体領域を対応付け、これにより過去に取得された画像における前記物体領域に対応付けられなかった新たに取得された画像における前記物体領域を、前記新規物体領域として特定する、
プログラム。
【０１０６】
（付記１５−９）
付記１４乃至１５−６のいずれかに記載のプログラムであって、
情報処理装置に、さらに、前記物体検出手段にて設定した前記物体領域の情報を記憶装置に記憶する物体領域情報記憶処理手段を実現させると共に、
前記新規物体領域特定手段は、過去に取得された画像における前記記憶装置に記憶された前記物体領域の情報と、新たに取得された画像における前記物体検出手段にて設定された前記物体領域の情報と、に基づいて、過去に取得された画像内に対して新たに取得された画像内に新たに出現した物体が含まれる前記物体領域を前記新規物体領域として特定し、
前記優先度設定手段は、前記品質判定手段にて判定した前記新規物体領域の品質が予め設定された基準を満たさない場合に、当該新規物体領域として特定された前記物体領域の情報を前記記憶装置から削除する、
プログラム。
【０１０７】
（付記１６）
情報処理装置に、
カメラにて撮影した画像を取得すると共に、当該取得した画像内において予め設定された特徴を有する物体を検出して、当該物体が検出された画像内における位置を基準とした所定範囲を物体領域として設定する物体検出手段と、
前記物体領域の情報を記憶装置に記憶する物体領域情報記憶処理手段と、
過去に取得された画像における前記記憶装置に記憶された前記物体領域の情報と、新たに取得された画像における前記物体検出手段にて設定された前記物体領域の情報と、に基づいて、過去に取得された画像内に対して新たに取得された画像内に新たに出現した物体が含まれる前記物体領域を新規物体領域として特定すると共に、当該新規物体領域に対する所定の解析処理を実行する優先度合いを表す優先度を、他の前記物体領域の優先度よりも高くなるよう設定する新規物体領域特定手段と、
を実現させるためのプログラム。
【０１０８】
（付記１６−２）
付記１６に記載のプログラムであって、
前記情報処理装置に、さらに、
前記新規物体領域の情報に基づいて、当該新規物体領域の予め設定された基準に基づく品質を判定する品質判定手段と、
前記品質判定手段にて判定した前記新規物体領域の品質が予め設定された基準を満たさない場合に、当該新規物体領域として特定された前記物体領域の情報を前記記憶装置から削除する物体領域情報削除手段と、
を実現させるためのプログラム。
【０１０９】
（付記１７）
カメラにて撮影した画像を取得し、当該取得した画像内において予め設定された特徴を有する物体を検出し、当該物体が検出された画像内における位置を基準とした所定範囲を物体領域として設定し、
前記物体領域の情報に基づいて、新たに取得された画像内に新たに出現した物体が含まれる前記物体領域を新規物体領域として特定し、当該新規物体領域に対する所定の解析処理を実行する優先度合いを表す優先度を、他の前記物体領域の優先度よりも高くなるよう設定する、
解析処理方法。
【０１１０】
（付記１８）
付記１７に記載の解析処理方法であって、
前記新規物体領域の情報に基づいて、当該新規物体領域の予め設定された基準に基づく品質を判定し、
前記新規物体領域が含まれる画像に後続する画像内において、当該新規物体領域に出現した物体と同一物体が出現している前記物体領域である新規物体後続領域に対する前記優先度を、前記判定した新規物体領域の品質に基づいて、他の前記物体領域の優先度よりも高くなるよう設定する、
解析処理方法。
【０１１１】
（付記１９）
付記１８に記載の解析処理方法であって、
前記判定した新規物体領域の品質が予め設定された基準を満たさない場合に、前記新規物体後続領域に対する前記優先度を他の前記物体領域の優先度よりも高くなるよう設定する、
解析処理方法。
【０１１２】
（付記１９−２）
付記１９に記載の解析処理方法であって、
前記新規物体領域の優先度を設定する際に、新たに取得された画像内における前記新規物体後続領域に対する前記優先度を、前記新規物体領域に対して設定した優先度よりも低くなるよう設定し、
前記判定した新規物体領域の品質が予め設定された基準を満たさない場合に、前記新規物体後続領域に対する前記優先度を、他の前記物体領域の優先度よりも高くなるよう設定する、
解析処理方法。
【０１１３】
（付記１９−３）
付記１９−２に記載の解析処理方法であって、
優先度が他の前記物体領域よりも高く設定された前記新規物体後続領域の情報に基づいて、当該新規物体後続領域の予め設定された基準に基づく品質を判定し、
前記判定した新規物体後続領域の品質が予め設定された基準を満たす場合に、当該新規物体後続領域が含まれる画像にさらに後続する画像内における前記新規物体後続領域に対する前記優先度を他の前記物体領域の優先度よりも高くする設定処理を行わない、
解析処理方法。
【０１１４】
（付記１９−４）
付記１８乃至１９−３のいずれかに記載の解析処理方法であって、
前記物体領域に対する予め設定された解析処理を行う解析処理手段による解析処理結果に基づいて当該物体領域の品質を判定する、
解析処理方法。
【０１１５】
（付記１９−５）
付記１８乃至１９−３のいずれかに記載の解析処理方法であって、
前記物体領域に設定された優先度が高い順に、当該物体領域に対する予め設定された解析処理を行うと共に、
前記物体領域に対する解析処理結果に基づいて当該物体領域の品質を判定する、
解析処理方法。
【０１１６】
（付記１９−６）
付記１９−４又は１９−５に記載の解析処理方法であって、
前記解析処理は、前記物体領域内における予め設定された特徴量を抽出する特徴量抽出処理を行い、
前記特徴量抽出処理による前記特徴量の抽出結果に基づいて前記物体領域の品質を判定する、
解析処理方法。
【０１１７】
（付記１９−７）
付記１７乃至１９−６のいずれかに記載の解析処理方法であって、
取得された画像内において設定された前記物体領域の情報を記憶装置に記憶し、
過去に取得された画像における前記記憶装置に記憶された前記物体領域の情報と、新たに取得された画像における前記物体検出手段にて設定された前記物体領域の情報と、に基づいて、過去に取得された画像内に対して新たに取得された画像内に新たに出現した物体が含まれる前記物体領域を前記新規物体領域として特定する、
解析処理方法。
【０１１８】
（付記１９−８）
付記１９−７に記載の解析処理方法であって、
予め設定された基準により、過去に取得された画像における前記物体領域に対して、新たに取得された画像における前記物体領域を対応付け、これにより過去に取得された画像における前記物体領域に対応付けられなかった新たに取得された画像における前記物体領域を、前記新規物体領域として特定する、
解析処理方法。
【０１１９】
（付記１９−９）
付記１８乃至１９−６のいずれかに記載の解析処理方法であって、
取得された画像内において設定された前記物体領域の情報を記憶装置に記憶し、
過去に取得された画像における前記記憶装置に記憶された前記物体領域の情報と、新たに取得された画像における前記物体検出手段にて設定された前記物体領域の情報と、に基づいて、過去に取得された画像内に対して新たに取得された画像内に新たに出現した物体が含まれる前記物体領域を前記新規物体領域として特定し、
前記判定した新規物体領域の品質が予め設定された基準を満たさない場合に、当該新規物体領域として特定した前記物体領域の情報を前記記憶装置から削除する、
解析処理方法。
【０１２０】
（付記２０）
カメラにて撮影した画像を取得し、当該取得した画像内において予め設定された特徴を有する物体を検出し、当該物体が検出された画像内における位置を基準とした所定範囲を物体領域として設定し、
前記物体領域の情報を記憶装置に記憶し、
過去に取得された画像における前記記憶装置に記憶された前記物体領域の情報と、新たに取得された画像における前記物体検出手段にて設定された前記物体領域の情報と、に基づいて、過去に取得された画像内に対して新たに取得された画像内に新たに出現した物体が含まれる前記物体領域を新規物体領域として特定すると共に、当該新規物体領域に対する所定の解析処理を実行する優先度合いを表す優先度を、他の前記物体領域の優先度よりも高くなるよう設定する、
解析処理方法。
【０１２１】
（付記２０−２）
付記２０に記載の解析処理方法であって、
前記新規物体領域の情報に基づいて、当該新規物体領域の予め設定された基準に基づく品質を判定し、
前記判定した新規物体領域の品質が予め設定された基準を満たさない場合に、当該新規物体領域として特定した前記物体領域の情報を前記記憶装置から削除する、
解析処理方法。
【０１２２】
（付記２１：図２５参照）
カメラ１１０にて撮影した画像を取得すると共に、当該取得した画像内において予め設定された特徴を有する物体を検出して、当該物体が検出された画像内における位置を基準とした所定範囲を物体領域として設定する物体検出手段１０１と、
前記物体領域の情報に基づいて、新たに取得された画像内に新たに出現した物体が含まれる前記物体領域を新規物体領域として特定すると共に、当該新規物体領域に対する所定の解析処理を実行する優先度合いを表す優先度を、他の前記物体領域の優先度よりも高くなるよう設定する新規物体領域特定手段１０２と、
前記新規物体領域の情報に基づいて、当該新規物体領域の予め設定された基準に基づく品質を判定する品質判定手段１０３と、
前記新規物体領域が含まれる画像に後続する画像内において、当該新規物体領域に出現した物体と同一物体が出現している前記物体領域である新規物体後続領域に対する前記優先度を、前記品質判定手段にて判定した前記新規物体領域の品質に基づいて、他の前記物体領域の優先度よりも高くなるよう設定する優先度設定手段１０４と、
を備えた解析処理システム１００。
【０１２３】
（付記２２：図２６参照）
カメラ２１０にて撮影した画像を取得すると共に、当該取得した画像内において予め設定された特徴を有する物体を検出して、当該物体が検出された画像内における位置を基準とした所定範囲を物体領域として設定する物体検出手段２０１と、
前記物体領域の情報を記憶装置２２０に記憶する物体領域情報記憶処理手段２０２と、
過去に取得された画像における前記記憶装置に記憶された前記物体領域の情報と、新たに取得された画像における前記物体検出手段にて設定された前記物体領域の情報と、に基づいて、過去に取得された画像内に対して新たに取得された画像内に新たに出現した物体が含まれる前記物体領域を新規物体領域として特定すると共に、当該新規物体領域に対する所定の解析処理を実行する優先度合いを表す優先度を、他の前記物体領域の優先度よりも高くなるよう設定する新規物体領域特定手段２０３と、
前記新規物体領域の情報に基づいて、当該新規物体領域の予め設定された基準に基づく品質を判定する品質判定手段２０４と、
前記品質判定手段にて判定した前記新規物体領域の品質が予め設定された基準を満たさない場合に、当該新規物体領域として特定された前記物体領域の情報を前記記憶装置から削除する物体領域情報削除手段２０５と、
を備えた解析処理システム２００。
【０１２４】
（付記２３）
情報処理装置に、
カメラにて撮影した画像を取得すると共に、当該取得した画像内において予め設定された特徴を有する物体を検出して、当該物体が検出された画像内における位置を基準とした所定範囲を物体領域として設定する物体検出手段と、
前記物体領域の情報に基づいて、新たに取得された画像内に新たに出現した物体が含まれる前記物体領域を新規物体領域として特定すると共に、当該新規物体領域に対する所定の解析処理を実行する優先度合いを表す優先度を、他の前記物体領域の優先度よりも高くなるよう設定する新規物体領域特定手段と、
前記新規物体領域の情報に基づいて、当該新規物体領域の予め設定された基準に基づく品質を判定する品質判定手段と、
前記新規物体領域が含まれる画像に後続する画像内において、当該新規物体領域に出現した物体と同一物体が出現している前記物体領域である新規物体後続領域に対する前記優先度を、前記品質判定手段にて判定した前記新規物体領域の品質に基づいて、他の前記物体領域の優先度よりも高くなるよう設定する優先度設定手段と、
を実現させるためのプログラム。
【０１２５】
（付記２４）
情報処理装置に、
カメラにて撮影した画像を取得すると共に、当該取得した画像内において予め設定された特徴を有する物体を検出して、当該物体が検出された画像内における位置を基準とした所定範囲を物体領域として設定する物体検出手段と、
前記物体領域の情報を記憶装置に記憶する物体領域情報記憶処理手段と、
過去に取得された画像における前記記憶装置に記憶された前記物体領域の情報と、新たに取得された画像における前記物体検出手段にて設定された前記物体領域の情報と、に基づいて、過去に取得された画像内に対して新たに取得された画像内に新たに出現した物体が含まれる前記物体領域を新規物体領域として特定すると共に、当該新規物体領域に対する所定の解析処理を実行する優先度合いを表す優先度を、他の前記物体領域の優先度よりも高くなるよう設定する新規物体領域特定手段と、
前記新規物体領域の情報に基づいて、当該新規物体領域の予め設定された基準に基づく品質を判定する品質判定手段と、
前記品質判定手段にて判定した前記新規物体領域の品質が予め設定された基準を満たさない場合に、当該新規物体領域として特定された前記物体領域の情報を前記記憶装置から削除する物体領域情報削除手段と、
を実現させるためのプログラム。
【０１２６】
（付記２５）
カメラにて撮影した画像を取得すると共に、当該取得した画像内において予め設定された特徴を有する物体を検出して、当該物体が検出された画像内における位置を基準とした所定範囲を物体領域として設定し、
前記物体領域の情報に基づいて、新たに取得された画像内に新たに出現した物体が含まれる前記物体領域を新規物体領域として特定すると共に、当該新規物体領域に対する所定の解析処理を実行する優先度合いを表す優先度を、他の前記物体領域の優先度よりも高くなるよう設定し、
前記新規物体領域の情報に基づいて、当該新規物体領域の予め設定された基準に基づく品質を判定し、
前記新規物体領域が含まれる画像に後続する画像内において、当該新規物体領域に出現した物体と同一物体が出現している前記物体領域である新規物体後続領域に対する前記優先度を、前記判定した新規物体領域の品質に基づいて、他の前記物体領域の優先度よりも高くなるよう設定する、
解析処理方法。
【０１２７】
（付記２６）
カメラにて撮影した画像を取得すると共に、当該取得した画像内において予め設定された特徴を有する物体を検出して、当該物体が検出された画像内における位置を基準とした所定範囲を物体領域として設定し、
前記物体領域の情報を記憶装置に記憶し、
過去に取得された画像における前記記憶装置に記憶された前記物体領域の情報と、新たに取得された画像における前記物体検出手段にて設定された前記物体領域の情報と、に基づいて、過去に取得された画像内に対して新たに取得された画像内に新たに出現した物体が含まれる前記物体領域を新規物体領域として特定すると共に、当該新規物体領域に対する所定の解析処理を実行する優先度合いを表す優先度を、他の前記物体領域の優先度よりも高くなるよう設定し、
前記新規物体領域の情報に基づいて、当該新規物体領域の予め設定された基準に基づく品質を判定し、
前記判定した新規物体領域の品質が予め設定された基準を満たさない場合に、当該新規物体領域として特定した前記物体領域の情報を前記記憶装置から削除する、
解析処理方法。
【０１２８】
ここで、上述したプログラムは、記憶装置に記憶されていたり、コンピュータが読み取り可能な記録媒体に記録されている。例えば、記録媒体は、フレキシブルディスク、光ディスク、光磁気ディスク、及び、半導体メモリ等の可搬性を有する媒体である。
【０１２９】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【０１３０】
なお、本発明は、日本国にて２０１３年２月５日に特許出願された特願２０１３−０２０４０４の特許出願に基づく優先権主張の利益を享受するものであり、当該特許出願に記載された内容は、全て本明細書に含まれるものとする。
【符号の説明】
【０１３１】
１０  映像解析システム
１１  顔位置検出部
１２  解析処理優先度算出部
１３  解析処理要求管理部
１４  解析処理実行制御部
１５  顔特徴解析部
１６  顔照合部
２１  フレーム顔位置情報記憶部
２２  解析処理要求情報記憶部
２３  解析処理タスク情報記憶部
２４  顔特徴情報データベース
３０  アラーム表示アプリケーション
Ｃ  監視カメラ
１００  解析処理システム
１０１  物体検出手段
１０２  新規物体領域特定手段
１０３  品質判定手段
１０４  優先度設定手段
１１０  カメラ
２００  解析処理システム
２０１  物体検出手段
２０２  物体領域情報記憶処理手段
２０３  新規物体領域特定手段
２０４  品質判定手段
２０５  物体領域情報削除手段
２１０  カメラ
２２０  記憶装置
【図１】
2014122879.tif 000003
【図２】
2014122879.tif 000004
【図３】
2014122879.tif 000005
【図４】
2014122879.tif 000006
【図５】
2014122879.tif 000007
【図６】
2014122879.tif 000008
【図７】
2014122879.tif 000009
【図８】
2014122879.tif 000010
【図９】
2014122879.tif 000011
【図１０】
2014122879.tif 000012
【図１１】
2014122879.tif 000013
【図１２】
2014122879.tif 000014
【図１３】
2014122879.tif 000015
【図１４】
2014122879.tif 000016
【図１５】
2014122879.tif 000017
【図１６】
2014122879.tif 000018
【図１７】
2014122879.tif 000019
【図１８】
2014122879.tif 000020
【図１９】
2014122879.tif 000021
【図２０】
2014122879.tif 000022
【図２１】
2014122879.tif 000023
【図２２】
2014122879.tif 000024
【図２３】
2014122879.tif 000025
【図２４】
2014122879.tif 000026
【図２５】
2014122879.tif 000027
【図２６】
2014122879.tif 000028
【国際調査報告】
2014122879.tif 000029
2014122879.tif 000030
2014122879.tif 000031
2014122879.tif 000032